(57)【特許請求の範囲】
【請求項１】
少なくとも第１の流体ポート（３）および第２の流体ポート（４）を備えるバルブハウジング（２）を含むバルブ（１）内のデバイスであり、クロージャ要素（５）が、前記バルブハウジング（２）内に配置され、前記クロージャ要素（５）が、密封部分（１５）を有し、かつ膜（３０）を備え、前記密封部分（１５）が、前記バルブハウジング（２）の前記流体ポートの少なくとも１つの開位置と閉位置との間で前記膜（３０）によって、前記クロージャ要素（５）の軸に沿って可動であり、前記クロージャ要素（５）が、前記バルブハウジング（２）とともに、前記密封部分（１５）が前記閉位置を離れるとき、前記流体ポートと連通する前記バルブハウジング（２）内の流通路（１１）を形成し、前記軸から離隔した包囲部分である前記クロージャ要素（５）の第２の密封部分（１４）が、前記バルブハウジング（２）の支持部分（２５）と接触して配置され、前記第２の密封部分（１４）が前記支持部分（２５）と当接手段（１６）との間に配置されるように、前記当接手段（１６）が、前記第２の密封部分（１４）の周縁に沿って接触して配置され、前記当接手段（１６）が、密封を提供するために、前記第２の密封部分（１４）を介して前記支持部分（２５）に向かって力を伝達するように配置される、デバイスであって、
前記当接手段（１６）がばね手段であり、
前記クロージャ要素（５）の前記密封部分（１５）が、アクチュエータ（６）によって動作可能に接続され、前記デバイスが、結合デバイス（７）を有し、前記結合デバイス（７）が、前記バルブハウジング（２）に対して配置されるように構成されたロッキング手段（８）、および前記アクチュエータ（６）を動作させるために前記結合デバイス（７）と接続されるように構成された作動デバイス（１０）を有し、
前記当接手段（１６）が、ねじブシュ（２０）を用いて前記結合デバイス（７）内に調節可能に配置され、前記ねじブシュ（２０）の下端部が、前記当接手段（１６）に接続され、かつ前記ねじブシュ（２０）の上端部が、前記結合デバイス（７）の前記くぼみ（１９）に接続されることを特徴とする、デバイス。
【請求項２】
前記ばね手段が、ねじりばね、および曲げ作用を有する弾力性のばねの群から選択される、請求項１に記載のデバイス。
【請求項３】
前記ばね手段が、圧縮ばね（３５）を備え、前記圧縮ばね（３５）が、前記軸と平行な圧縮力を提供するように配置される、請求項１および２のいずれか一項に記載のデバイス。
【請求項４】
前記ばね手段が、ばねワッシャ（３６）を備え、前記ばねワッシャ（３６）が、前記軸と平行な圧縮力を提供するように配置される、請求項１から３のいずれか一項に記載のデバイス。
【請求項５】
前記当接手段（１６）が、ばねワッシャ（３６）である、請求項１から４のいずれか一項に記載のデバイス。
【請求項６】
前記クロージャ要素（５）の前記第２の密封部分（１４）が、密封領域（２９）を有し、かつ前記バルブハウジング（２）が、相互密封のための相補的な着座部分（３１）を有する、請求項１から５のいずれか一項に記載のデバイス。
【請求項７】
前記アクチュエータ（６）が、細長く、かつ、前記アクチュエータ（６）の長手方向軸が前記クロージャ要素（５）の前記軸と一致するように配置され、かつ前記結合デバイス（７）内のくぼみ（１９）を通ってアクチュエータくぼみ（１８）内にさらに配置される、請求項１から６のいずれか一項に記載のデバイス。
【請求項８】
前記ねじブシュ（２０）が、雄ねじを付けられ、かつ前記結合デバイス（７）内の前記くぼみ（１９）と接続される、請求項１から６のいずれか一項に記載のデバイス。
【発明の詳細な説明】
【技術分野】
【０００１】
本発明は、第１のおよび第２の流体ポートを少なくとも備えるバルブハウジングを含むバルブ内のデバイスに関する。クロージャ要素が、バルブハウジング内に配置され、密封部分を有し、かつ膜を備える。密封部分は、バルブハウジングの少なくとも１つの流体ポートの開位置と閉位置との間で前記膜によって、クロージャ要素の軸に沿って可動である。クロージャ要素は、バルブハウジングとともに、密封部分が前記閉位置から離れるとき前記流体ポートと連通する、バルブハウジング内の流通路を形成する。前記軸から離隔された包囲部分である、クロージャ要素の第２の密封部分が、バルブハウジングの支持部分と接触して配置されている。当接手段が、前記第２の密封部分が支持部分と当接手段との間に配置されるように、前記第２の密封部分の周縁に沿って接触して配置されている。当接手段は、密封を提供するために、支持部分に向かって前記第２の密封部分を介して力を伝達するように配置される。
【背景技術】
【０００２】
上記のタイプのバルブは、良く知られている。このようなバルブは、第１に、高度の清浄性が必要とされる用途で使用される。このような適用例は、たとえば薬剤および食品技術目的の、またはその他のタイプの化学的目的のための、様々な流体工学プロセスまたはプロセスステップであってよい。多くの流体製品は、高価である、および／または漏出の場合に汚染もしくは危険を受けやすい。このことは、漏出が、製品または環境の使用者に対して不健康な環境を生じさせる結果となり得ることを意味している。上記で述べたタイプのバルブの密閉性は、したがって重要である。
【０００３】
このタイプのバルブでは、膜要素が、開位置と閉位置との間で操作される。バルブハウジング内を流れる流体が、このようにして、調節可能な方式で容易にかつ安全に取り扱われることができる。バルブ動作は、たとえば、手動または空気圧制御を使用して、様々な方式で行われてもよい。
【０００４】
さらに、このタイプのバルブは、バルブが実質上の障害となることなく、それらの開位置で良好な流れ容量を有するべきであり、それによって、バルブが、塵および沈殿物などの汚染物質を蓄積させるリスクを減少させる。バルブは、また絶対的に密閉性であるべきである。この条件は、たとえば、攻撃的な化学物質を使用するとき、達成することがときどき困難である。このような場合には、バルブの密封表面が、磨耗を受ける可能性があり、このことが、たとえば、材料が劣化し、脆弱になり、その弾性を失う結果を生じさせ、このことが亀裂および／または降伏および、後に漏出を生じさせる可能性がある。
【０００５】
したがって、たとえば、良好な操作可能性、良好な流れ容量、良好な密閉性、十分な清浄性などの、このタイプのバルブによって満たされるべきである多くの要件がある。
【０００６】
これらの要件に加えて、また改善されるべきであるいくつかの範囲がある。これらの問題の範囲は、以下の点、
流体の圧力および温度の大きな変動にかかわらず、バルブが良好な密封性を確実にすること、
いかなる塑性変形にもかかわらず、バルブが良好な密封性を確実にすること、
クロージャ要素を装着するとき、バルブが密封圧力の良好な反復性を有すること、を含む。
【０００７】
密封の際、弾性のパッキングが通常、ボルトにプレストレス印加することによって圧縮される。しかし、弾性の材料が経年したとき、または塑性変形されたとき、しばらくしてから問題が生じる可能性があり、このことが、漏出を結果として生じさせる可能性がある。
【発明の概要】
【発明が解決しようとする課題】
【０００８】
したがって、本発明の目的は、上述の点のうちの１つまたは複数を満足するバルブ内のデバイスを提供することである。
【０００９】
さらなる目的は、目的のために構成された密閉性を有するデバイスを提供することである。
【課題を解決するための手段】
【００１０】
このことは、第１のおよび第２の流体ポートを少なくとも備えるバルブハウジングを含み、クロージャ要素が、バルブハウジング内に配置され、密封部分を有し、かつ膜を備え、密封部分が、バルブハウジングの少なくとも１つの流体ポートの開位置と閉位置との間で前記膜によって、クロージャ要素の軸に沿って可動であり、クロージャ要素がバルブハウジングとともに、密封部分が前記閉位置から離れるとき前記流体ポートと連通するバルブハウジング内の流通路を形成し、前記軸から離隔された包囲部分である、クロージャ要素の第２の密封部分が、バルブハウジングの支持部分と接触して配置され、当接手段が、前記第２の密封部分が支持部分と当接手段との間に配置されるように、前記第２の密封部分の周縁に沿って接触して配置され、当接手段が、密封を提供するために、前記第２の密封部分を介して支持部分に向かって力を伝達するように配置され、前記力が、少なくとも部分的に、デバイス内に配置されたばね手段によって及ぼされる力である、紹介のために述べるバルブ内のデバイスによって達成される。
【００１１】
流体は、第１に、液体、液体溶液、コロイド分散液、懸濁液などを意味する。第２に、流体は、気体、気体液体混合物、または上記のうちの１つと組み合わせられた気体に関する。ばね手段は、「機械的弾力性」を備えるばね組立体を意味し、たとえばゴムなどの弾性材料製のパッキングの圧縮、または１つのみのプレストレス印加されたボルトによって提供される弾力性を意味しない。
【００１２】
好ましくは、前記ばね手段は、ねじりばね、および曲げ作用を有するばねから成る群から選択される。
【００１３】
したがって、本発明によるデバイスの大きな利点は、ある圧力または密封が、温度変化または冷却流／塑性変形による、バルブ内に含まれる部品の運動にかかわらず、連続的に維持されることである。
【００１４】
好ましくは、クロージャ要素の前記第２の密封部分が、密封領域を有し、かつバルブハウジングが、相互密封のための相補的な着座部分を有する。
【００１５】
さらに、クロージャ要素の密封部分が適切には、アクチュエータによって動作可能に接続され、デバイスが、結合デバイスを有し、結合デバイスが、バルブハウジングに対して配置されるように構成されたロッキング手段、およびアクチュエータを動作させるために結合デバイスと接続されるように構成された作動デバイスを有する。
【００１６】
さらに、アクチュエータは、好ましくは、細長く、かつ、その長手方向軸がクロージャ要素の前記軸と一致するように配置され、かつ結合デバイス内の穴を通って作動穴内にさらに配置される。
【００１７】
一実施形態では、当接手段が、ねじブシュによって結合デバイス内に調節可能に配置される。
【００１８】
ねじブシュが、適切には、雄ねじを付けられ、かつ結合デバイス内の穴と接続される。
【００１９】
一実施形態では、圧縮ばねが、前記軸に対して平行な圧縮力を発生させるように配置される。
【００２０】
代替となる実施形態では、ばねワッシャが、前記軸に対して平行な圧縮力を発生させるように配置される。
【００２１】
さらに別の代替となる実施形態では、実際の当接手段が、圧縮ばねである。
【００２２】
デバイスが、組み立てられたバルブ内に意図されたように位置決めされるとき、当接手段が、好ましくはクロージャ要素と当接することになる。特に、温度変化のため、デバイス内に備えられた様々な構成要素のサイズが変化する。このことは、長期間にわたる密封が、前記ばね力によって改善されることができることを意味する。
【００２３】
一実施形態では、結合デバイスがロッキング手段によってバルブハウジングと接続されてもよい。結合デバイスは、接続可能な作動デバイスを有する。作動デバイスは、バルブを動作させるためにアクチュエータとさらに接続される。
【００２４】
アクチュエータは好ましくは、結合デバイス内の穴を通って作動穴内の中央に配置される。結果として、クロージャ要素が、容易な信頼性の高い方式で操作されることができる。
【００２５】
アクチュエータは適切には、一方の端部で作動デバイスと接続可能であり、その他方の端部でクロージャ要素と接続可能である、中央に配置されたスピンドルである。このことは、クロージャ要素が、容易な信頼性の高い方式で操作されることができるという利点を結果としてもたらす。
【００２６】
当接手段は好ましくは、当接手段を適用するための結合デバイスに対して、クロージャ要素に向かって、中央に軸方向に調節可能に配置される。さらに、当接手段は適切には、ねじブシュによって結合デバイス内に調節可能に配置される。ねじブシュは有利には、雄ねじを付けられ、かつ結合デバイス内の穴と接続されている。このようにして、バルブは、当接手段とクロージャ要素との間の良好な調節能力および制御能力を得る。
【００２７】
クロージャ要素は好ましくは、少なくとも部分的に可撓性および剛性の材料で作製されている。このことは、クロージャ要素が、関連する用途で必要とされる所望の密封特性を得ることを意味する。
【００２８】
可撓性材料は、第１に、機能および用途のために構成された耐性を有する曲げ可能なまたは隆起可能な材料を意味する。
【００２９】
クロージャ要素は、たとえば、弾力性の柔軟な材料製であってよい。したがって、クロージャ要素は、関連する用途で必要とされる密封特性を有することになる。
【００３０】
クロージャ要素は適切には、クロージャ要素が閉鎖されたときバルブハウジングの内部とともに空洞を形成する通路部分に隣接して半径方向に内向きに湾曲される。このようにして、バルブは、クロージャ要素が閉位置に残されたとき良好な流れ容量を得る。
【００３１】
当接手段は、たとえば、柔軟な材料で作製されてもよい。また、当接手段は、バルブの用途による必要に応じて交換されることができる。
【００３２】
クロージャ要素の上端部は好ましくは、装着された状態でバルブハウジングの内壁から半径方向に離隔されている。このことは、クロージャ要素の上端部が、この場合には、装着および動作での抵抗のリスクを生じさせるであろう、バルブハウジングの側壁と当接しないという利点を結果としてもたらす。
【００３３】
クロージャ要素は好ましくは、バルブハウジング内で周縁方向に少なくとも部分的に延びる支持部分に適用されるように構成されている。クロージャ要素は、たとえば、動作中、着座部分の周りでたわむ。結果として、バルブが、意図された密封機能、およびバルブが要望に応じて動作するために必要とされる動作機能の両方を得る。
【００３４】
クロージャ要素は、たとえば、作動力がクロージャ要素に作用していないとき開位置を維持してもよい。クロージャ要素はこのようにして、結果として磨耗を生じさせるいかなる大きな応力も受けることなく、開位置内に保持されることができる。
【００３５】
本発明の好ましい実施形態を一例として示している添付の図面を参照にして、本発明が以下で説明される。
【図面の簡単な説明】
【００３６】
【図１】本発明の第１の実施形態によるバルブ内のデバイスの概略分解図である。
【図２】図１のデバイスの下からの透視での概略分解図である。
【図３】図１によるデバイスまたは別法として図２によるデバイスの長手方向断面の概略分解図である。
【図４ａ】装着位置を示す、装着された状態での図１によるバルブ内のデバイスの一部分を示す図である。
【図４ｂ】圧力嵌め位置を示す、装着された状態での図１によるバルブ内のデバイスの一部分を示す図である。
【図５ａ】開位置を示す、装着された状態での図１によるバルブ内のデバイスの長手方向断面である。
【図５ｂ】閉位置を示す、装着された状態での図１によるバルブ内のデバイスの長手方向断面である。
【図６ａ】本発明によるデバイスの代替となる実施形態を示す図である。
【図６ｂ】本発明によるデバイスの代替となる実施形態を示す図である。
【図６ｃ】本発明によるデバイスの代替となる実施形態を示す図である。
【図７ａ】本発明によるデバイスの別の実施形態を示す図である。
【図７ｂ】本発明によるデバイスの別の実施形態を示す図である。
【図８ａ】本発明によるデバイスの別の実施形態を示す図である。
【図８ｂ】本発明によるデバイスの別の実施形態を示す図である。
【図９】本発明によるデバイスのさらに別の実施形態を示す図である。
【図１０】本発明によるデバイスのさらなる実施形態を示す図である。
【発明を実施するための形態】
【００３７】
図１は、第１の本発明の好ましい実施形態によるデバイスを備えるバルブ１を示している。バルブ１は、内部の、好ましくは円筒形の空洞を有する、従来技術のタイプのバルブハウジング２を備える。バルブハウジング２は、第１の流体ポート３および第２の流体ポート４を少なくとも有する。第１の流体ポート３は、バルブハウジング２の下側部分１３内に好ましくは配置され、かつ取入ポートを適切に形成している（図１参照）。第２の流体ポート４は、バルブハウジング２の側壁内に好ましくは配置され、かつ排出ポートを適切に形成する。
【００３８】
好ましくは可動であるクロージャ要素５が、バルブハウジング２の空洞内に配置されるように構成されている。クロージャ要素５は好ましくは、バルブハウジング２の上側部分１２に適合されている上端部である密封部分１４に回転対称である。クロージャ要素５は、使用中、隣接する第１の流体ポート３と相互に密封可能であるように、バルブハウジング２の下側部分１３に適合された、別の密封部分１５、この実施形態では下端部を有する。図２を参照すると、前記端部の間のクロージャ要素５の中央部分は、第２の流体ポート４に隣接する通路部分１１に適合された、好ましくはウェスト様の形状を有する。
【００３９】
図３を参照すると、クロージャ要素５は、第２の密封部分１４、この実施形態では上端部、適切には、クロージャ要素５内へ下向きに、軸方向に延びている穴２７を有する。クロージャ要素５内の穴２７は、たとえば、雌ねじを付けられている。これは、接続可能なアクチュエータ６のためのものである。クロージャ要素５はまた、その上端部１４に、バルブハウジング２に向かって内向きの縁部を有して円周に延びる密封領域２９を有する。クロージャ要素５はまた、前記密封領域２９の内側に、半径方向である可撓性部分３０を有する。
【００４０】
図２を再び参照すると、バルブハウジング２は、その上側部分１２内に接続開口１７を有する。バルブハウジング２の上側部分１２は、結合デバイス７と接続されるように構成されている。結合デバイス７は、ロッキング手段８によって、バルブハウジング２と好ましくは接続可能である。ロッキング手段８は、適切には、相互施錠のために相補的なバルブハウジング２の雄ねじに適合された、雌ねじを備える。
【００４１】
図３を参照すると、結合デバイス７はまた、適切には、雌ねじを備える中央に配置された穴１９を有する。穴１９は、雄ねじを備えるねじブシュ２０を受けるように構成される。ねじブシュ２０の上端部は、穴１９と好ましくは接続可能である（図２参照）。
【００４２】
ねじブシュ２０の下端部は、ねじブシュ２０上で回転可能であるように締結された、当接手段１６を適切に備える。図２で見られる当接手段１６は、バルブハウジング２に向かって内向きに配置される。ねじブシュ２０は、好ましくは、当接手段１６を意図された位置内に保持するためのロッキングワッシャ２１を、その下側の自由端に有する。
【００４３】
図３を参照すると、ねじブシュ２０は、アレンキー（Ａｌｌｅｎ  ｋｅｙ）のために意図された六角形の作動穴１８を有する。このようにして、回転可能に接続された当接手段１６を有するねじブシュ２０は、ねじ山付きの穴１９内で結合デバイス７に対して軸方向に調節可能である。
【００４４】
図３を再び参照すると、クロージャ要素５の穴２７と接続されるための雄ねじを、その下端部に好ましくは備える、細長いアクチュエータ６が見られる。さらに、アクチュエータ６は、雄ねじを付けられたピン２３によって作動デバイス１０と接続されかつそれを受けるための雌ねじを、その上端部に適切には備える。アクチュエータ６は、両端での意図されたアクチュエータ６の接続のためにねじブシュ２０内の六角形の作動穴１８を通って挿入されることになる。アクチュエータ６の上端部はまた、相補的な工具（図示せず）がアクチュエータ６のクロージャ要素５との接続を調節することを可能にするために使用される、直径溝２２を備えてもよい。
【００４５】
作動デバイス１０は、環状の締結手段２４によって結合デバイス７と好ましくは接続可能である。締結手段２４は、相互接続のために結合デバイス７の相補的な雄ねじに適合された雌ねじを適切には備える。
【００４６】
作動デバイス１０は、手動または空気圧、油圧または電気的制御あるいは別法としてそれらの組合せによって作動されることができる。
【００４７】
バルブハウジング２、結合デバイス７、当接手段１６およびアクチュエータ６は、ステンレス鋼またはアルミニウムなどの金属で好ましくは作製されるが、もちろん、本発明の意図による要件および要望を満たすその他の材料または材料の組合せで作製されてもよい。ねじブシュ２０は、その容易な動作、たとえば低い摩擦を確実にするために、ブロンズなどの金属で適切には作製される。
【００４８】
第１の実施形態によるクロージャ要素５は、テフロン（登録商標）、ポリテトラフルオロエチレン（ＰＴＦＥ）などの可撓性ポリマーで好ましくは作製される。
【００４９】
クロージャ要素５は、ゴム、またはＰＴＦＥとゴムとの組合せなどの、本発明の要件および要望を満たすその他の材料で、もちろん作製されてもよい。
【００５０】
本発明に課され得る材料に対する要件および要望は、たとえば、化学耐性、温度および圧力耐性であってよい。これらの材料および材料の必要性は、関連する用途の点でもちろん、様々であってよい。
【００５１】
バルブハウジング２、流体ポート３、４、クロージャ要素５、アクチュエータ６、結合デバイス７、当接手段１６および接続開口１７の内部空間などの構成要素は、円形の断面であるが、もちろん、本発明の目的および要件が満たされる限り異なる形状を有してもよい。他の考えられる形状は、楕円形、正方形またはある種の矩形または不規則な多角形形状であってよい。
【００５２】
バルブ１および他の構成要素の装着がここで、図３、４ａおよび４ｂを参照にして以下で説明される。
【００５３】
上述のように、バルブハウジング２は、バルブハウジング２の上側部分１２内に接続開口１７を有する（図３参照）。その上側内部に、バルブハウジング２は、好ましくは、支持部分２５および着座部分３１を有する。クロージャ要素５が、接続開口１７を通って挿入可能であり、クロージャ要素５の上端部１４で外側半径方向部分が支持部分２５と当接する。
【００５４】
図３を再び参照すると、クロージャ要素５は、その上端部に、クロージャ要素５が周縁部を有するへこみを有するところの縁部部分２６を好ましくは有する。クロージャ要素５の上端部、密封部分１４が、装着された状態では、バルブハウジング２の内壁から小さな半径方向距離で、適切には浮遊するように好ましくは配置されていることに注意されたい。
【００５５】
当接手段１６が、適切にはロッキングワッシャ２１を用いてねじブシュ２０の下端部に接続される。ねじブシュ２０の上端部が、結合デバイス７の雌ねじ付きの穴１９内へ下から螺合される。このようにして、当接手段１６が、ねじブシュ２０によってその下側で結合デバイス７と調節可能に接続される。装着中、当接手段１６は、結合デバイス７の下側と当接するようにその上側位置にある。このことは図４ａに見られる。
【００５６】
図３に示されているように、結合デバイス７が、上記で述べられた一体化された構成要素とともに、ロッキング手段８によってバルブハウジング２の上側部分１２と接続される。
【００５７】
ロッキング手段８は、好ましくは環状のナット手段である。このようにして、適切な工具（図示せず）が、ロッキング手段８およびバルブハウジング２の上側部分１２が信頼できる方式で互いに当接するように、接続を適切に行う。
【００５８】
図４ａおよび４ｂを参照すると、ねじブシュ２０が、当接手段１６がクロージャ要素５に対して圧入の状態で当接するように調節されるように、アレンキーを用いて六角形の作動穴１８によって調節されることができることが見られる。
【００５９】
アレンキーは有利には、たとえば、維持作業とともに行われる各圧力嵌め動作において同じように調節されたトルクが付加されることを確実にする、トルクレンチと呼ばれるものであってもよい。
【００６０】
図３を参照すると、アクチュエータ６が、作動穴１８内に挿入され、アクチュエータ６の直径溝２２内に係合する適切な工具（図示せず）を用いてクロージャ要素５内に螺合される。
【００６１】
その後、作動デバイス１０が、結合デバイス７を覆って配置され、ピン２３がアクチュエータ６の上側部分内に羅合されるように回転される。作動デバイス１０の締結手段２４が次いで、ねじによって取り付けられ、適切な工具（図示せず）を用いて締付けられる。
【００６２】
装着に関するこの説明に加えて、各流体ポートがもちろん、流体ラインと接続されるが、このことは、従来技術に従って行われ、本発明の直接の部分ではないため、この作業は説明からは除かれる。
【００６３】
バルブ１およびその他の構成要素の機能がここで、図４ａ、４ｂおよび５ａ、５ｂをそれぞれ参照して以下で説明される。本発明によるバルブ１内に装着されたデバイスが、たとえば、流体流を方向付けるために流体タンクと隣接する意図された位置内に配置されるとき、たとえばバルブ１の第１の流体ポート３が、バルブ１の取入口として流体タンクの下側部分に接続される。バルブ１の第２の流体ポート４が、バルブ１の排出口として流体ラインと接続される。
【００６４】
使用者が、手動作動デバイス１０を備えるバルブ１を開放しようと意図しているとき、ハンドル２８を回す（図５ａ、５ｂ参照）。ハンドル２８によって、ピン２３が、バルブ１のタンク接続部から軸方向に（以下でオフ方向と呼ばれる）動かされる。ピン２３が、作動穴１８を通ってアクチュエータ６を同じオフ方向に作動させる。
【００６５】
アクチュエータ６の運動により、クロージャ要素５が同じオフ方向に移動する（図５ａ参照）。クロージャ要素５の端部、密封部分１５が、このようにして、第１の流体ポート３の当接表面から離れる。タンク内の流体が、このようにして、たとえば重力によって、バルブ１を通って流れる。クロージャ要素５の端部、密封部分１５、およびそのウェスト部分が、第１の流体ポート３と第２の流体ポート４との間のバルブハウジング２の内壁とともに、流通路１１を形成する。流体は今、第１の流体ポート３から流通路１１を通って第２の流体ポート４へ流れることができる。
【００６６】
それに対応して、しかし反対方向に、作動デバイス１０のハンドル２８が閉位置へ回されたときバルブ１の閉鎖プロセスが行われ、それによって第１の流体ポート３が再び閉鎖される（図５ｂ参照）。第１の実施形態では、好ましくは剛性のクロージャ要素５が、バルブ１の位置を操作するとき、密封部分３１の周りで適切にたわむことに注意されたい。
【００６７】
動作中、結合デバイス７が、密封領域２９がバルブハウジング２の着座部分３１とともに、当接手段１６の作用の下で必要とされる密封機能を有することを、確実にする。この密封の漏れを示すために、標示通路３２が、結合デバイス７内に配置されている（図３参照）。
【００６８】
図４ａ、４ｂおよび装着についての上記の説明を参照すると、ねじブシュ２０が、たとえば、六角形の作動穴１８内のアレンキーによって調節されるとき、以下のことが行われる。このことは、好ましくは、アクチュエータ６が装着されることなしで行われてもよい。
【００６９】
当接手段１６がクロージャ要素５に向かって動かされるとき、好ましくは一様に分散された力が、相互密封のために上記構成要素の間で周縁に加えられる。この力が、力伝達手段としてのねじブシュ２０によって中心へ適切に伝達される。この単一の調節手段は、調節が簡単かつ一様な方式で達成されることを結果としてもたらす。バルブハウジング２内で、支持部分２５および着座部分３１が、当接手段１６が所望の機能を得るように、クロージャ要素５の当接部として働く。反対方向では、結合デバイス７がねじブシュ２０とともに、当接手段１６によって及ぼされた圧力嵌めの力のための当接部として働く。
【００７０】
当接手段１６は好ましくは、縁部部分２６に隣接するクロージャ要素５に、その中心から適切な半径方向距離で圧力を及ぼす。この距離は、クロージャ要素５がバルブ１を作動するために可撓性部分３０に隣接してたわむことができるように調節される。言い換えれば、クロージャ要素５は、端部である密封部分１４にある前記部分３０に隣接して、クロージャ要素５が意図された鉛直方向に動くことができるように、いくらかの運動自由度を有する。
【００７１】
当接手段１６は好ましくは、十分な当接を確実にするためにクロージャ要素５の縁部部分２６の両側に当接する。この圧力嵌合当接力は、密封領域２９と着座部分３１との間の所望の密封機能を、結果として生じさせる。第２の実施形態による本発明が、ここで説明される。クロージャ要素５は、当接手段１６に好ましくは適合された形状を有する。第２の実施形態によるクロージャ要素５は、シリコーン、エチレンプロピレンゴム（ＥＰＤＭ）、フッ素処理されたゴム（ＦＰＭ、ビトン）などの弾力性のある柔軟な材料で適切には作製される。
【００７２】
クロージャ要素５はもちろん、本発明の意図によって要求される特性を有する別の材料で作製されてもよい。
【００７３】
上記のクロージャ要素５は、たとえば、作動デバイス１０と直接的にまたは間接的に接続可能である金属製のコアを有してもよい。クロージャ要素５は好ましくは、圧力および温度変化にかかわらず、良好な密封特性を有する。当接手段１６がクロージャ要素５に直接押し付けられ、それによって密封領域２９と着座部分３１との間の密封が行われる。
【００７４】
図１〜５では、当接手段１６が弾力性のワッシャである。それに続く図は、バルブの異なる実施形態での代替となるばね手段を示している。
【００７５】
図６ａ〜６ｃは、本発明によるデバイスの代替となる実施形態を示している。当接手段１６が、圧縮ばね３５によってクロージャ要素５に押し付けられており、このことが、デバイス内に含まれる部品のサイズの変化で当接手段１６によってクロージャ要素５に圧力が及ぼされることを確実にする。図６ａは閉位置でのバルブ１を示しており、図６ｂおよび６ｃは、開位置でのバルブ１を示している。図６ｃでは、圧縮ばね３５が、図６ｂでよりもわずかに引っ張られている。圧縮ばね３５の圧縮は、この実施形態では調節ねじ６、ワームギア３３、ナット３４およびねじブシュ２０によって行われる。この実施形態の利点は、バルブ１のいかなる部品も取り外す必要なく、圧縮ばね３５が引っ張られることができることである。
【００７６】
本発明によるデバイスのさらなる実施形態を示している図７ａおよび７ｂでは、当接手段１６が、図６ａ〜６ｃでの圧縮ばね３５とまさに同様に、デバイス内に含まれる部品のサイズの変化で当接手段１６によってクロージャ要素５に圧力が及ぼされることを確実にする、ばねワッシャ３６を備える。図７ａは、広い膨張隙間を有するある位置でのデバイスを示し、図７ｂは、小さい膨張隙間を有する別の位置でのデバイスを示している。
【００７７】
本発明によるデバイスのさらに別の代替となる実施形態が、図８ａ（開いたバルブ）および図８ｂ（閉じたバルブ）に示されている。この実施形態では、当接手段１６が、ねじブシュ２０によって引っ張られる圧縮ばね３５である。この実施形態では、「コーン（ｃｏｎｅ）」は、クロージャ要素５の膜部分とともにボルトを用いて配置される別個の部分として示されている。
【００７８】
本発明によるデバイスの別の実施形態が、図９に示されており、ここでは、クロージャ要素５が主に、バルブ１を閉鎖するためにバルブハウジング２に属する隆起３７に下向きに押し付けられている膜５から成る。膜５は、膜５の周縁部分に対して当接手段１６を保持することによって、いくつかのボルト３８によってバルブハウジング２に対して密封される。また、圧縮ばね３５が、温度による構成要素の運動とは無関係に最小の密封力を維持するために、各ボルト３８と隣接して配置されている。図１０は、同時に圧縮ばね３５でもある当接手段６を含む、図９と同じであるが代替となるばね作用を有するバルブ１を示している。圧縮ばね３５が、圧縮ばね３５の中央に近接する調節手段（図示せず）によって膜５に下向きに押し付けられる。
【００７９】
本発明の上記で説明された実施形態が、特許請求の範囲で定義された本発明の概念から逸脱することなく当業者によって修正および変更されてもよいことを理解されよう。たとえば、様々な締結手段、ロッキング手段、ねじブシュを備える本発明によるバルブおよびその構成要素はもちろん、脱着可能なジョイント（たとえばねじ、スプライン、キー、クランプ、圧力および収縮ジョイント）または代替となるほかの弾性ジョイントまたはパワージョイントなどを、様々な方式で備えてもよいだけでなく、いくつかの適用例では、恒久的なジョイント（溶接、糊着およびリベットジョイント）を備えてもよい。様々なばね代替形態を組み合わせることが可能であることは言うまでもない。たとえば、バルブはその構成要素とともに、いくつかの流体ポート、バルブハウジング、クロージャ要素、当接手段、結合デバイス、ねじブシュなどの、別個のまたは複合された構成要素としての、いくつかの部品から成ってもよい。上述の構成要素は、便利なとき、および用途によって許されたとき、一体化されることができる。
【符号の説明】
【００８０】
１  バルブ
２  バルブハウジング
３  第１の流体ポート、流体開口
４  第２の流体ポート、流体側部開口
５  クロージャ要素
６  アクチュエータ
７  結合デバイス
８  ロッキング手段（結合デバイス）
９  調節ねじ
１０  作動デバイス
１１  流通路、通路部分
１２  上側部分バルブハウジング
１３  下側部分バルブハウジング
１４、１５  密封部分
１６  当接手段、当接部分
１７  接続開口
１８  作動穴
１９  穴結合デバイス
２０  ねじブシュ
２１  ロッキングワッシャ
２２  アクチュエータ内の溝
２３  ピン作動デバイス
２４  締結手段（作動デバイス）
２５  支持部分（バルブハウジング）
２６  縁部部分
２７  クロージャ要素内の穴
２８  ハンドル（作動デバイス）
２９  密封領域
３０  可撓性部分
３１  着座部分
３２  標示通路
３３  ウォームギア
３４  ナット
３５  圧縮ばね
３６  ばねワッシャ
３７  隆起
３８  ボルト
【図１】
0005354228.tif 000002
【図２】
0005354228.tif 000003
【図３】
0005354228.tif 000004
【図４ａ】
0005354228.tif 000005
【図４ｂ】
0005354228.tif 000006
【図５ａ】
0005354228.tif 000007
【図５ｂ】
0005354228.tif 000008
【図６ａ】
0005354228.tif 000009
【図６ｂ】
0005354228.tif 000010
【図６ｃ】
0005354228.tif 000011
【図７ａ】
0005354228.tif 000012
【図７ｂ】
0005354228.tif 000013
【図８ａ】
0005354228.tif 000014
【図８ｂ】
0005354228.tif 000015
【図９】
0005354228.tif 000016
【図１０】
0005354228.tif 000017